(57)【要約】【課題】イカ角の投入がスムーズに行え、また不使用時にも安全且つ携行にも便利なイカ角保持具及びイカ角投入器を提供する【解決手段】ガイドレール先端長さを保持レールよりも短く形成してイカ角装着口を形成すると共に、ガイドレールの高さを保持レールよりも低くして同保持レールのみにてイカ角を係止し、更に両レール上端部にテーパ面を形成したイカ角保持部を支柱に回動自在に設け、このイカ角保持部を支柱内の第１位置と水平状態の第２位置に回動変位させてそれぞれ保持せしめ、イカ角投入時には船縁に装着される支柱取付部の略く形状の切欠部の傾斜面を利用して傾斜状態に保持させるようにする。【選択図】図１
2010263792.tif 000002
【特許請求の範囲】
【請求項１】
内部に収納空間を形成した断面略コ字形状の支柱と、同支柱上部に回動自在に軸支され、支柱の収納空間内の第１位置と、支柱に対して略３／４回動して略水平状態に保持された第２位置との間で回動変位する保持レールとガイドレールとから成るイカ角保持部とを備えたイカ角保持具であって、
上記イカ角保持部の保持レールとガイドレールは、互いにイカ角の疑似餌部が通る所要間隔を有して設けられ、両レール共に垂直片と同垂直片下部に外側に広がる傾斜片とを備え、同両レールの垂直片上端部に互いに外側下方に向かって傾斜するテーパ面を形成すると共に、ガイドレール先端長さを上記保持レールよりも短く形成してその長さの違いにより構成される隙間部位をイカ角装着口となし、且つガイドレールの垂直片上端高さを上記保持レールよりも低くして、該保持レールの垂直片のみでイカ角の角針付け根部位に係合して同イカ角を吊り下げ保持するようにしたことを特徴とするイカ角保持具。
【請求項２】
上記ガイドレールを、保持レールとガイドレールとの間隔を調整可能なように可動自在に設けたことを特徴とする請求項１に記載のイカ角保持具。
【請求項３】
上記保持レールの垂直辺にマグネット板を設けたことを特徴とする請求項１に記載のイカ角保持具。
【請求項４】
上記請求項１乃至請求項３に記載のイカ角保持具を用いたイカ角投入器であって、その一側面にく形状凹部を有する支柱取付部材を船縁に着脱自在に設けると共に、上記イカ角保持部が第２位置に保持された状態の支柱を上記支柱取付部材に上下動可能に設け、該支柱を上方に移動してその下端を支柱取付部の略く形状切欠部の傾斜面に係止することにより、上記イカ角保持具を船縁に対して傾斜した状態に保持するようにしたことを特徴とするイカ角投入器。
【発明の詳細な説明】
【技術分野】
【０００１】
本発明は、イカ釣り時に使用するイカ角を携行するためのイカ角保持具と、釣り場でイカ角を投入するのに適したイカ角投入器に関するものである。
【背景技術】
【０００２】
一般に、イカ釣り時にはイカ角と呼ばれる専用のイカ釣り針が用いられる。このイカ角１００は、図１３に示すように疑似餌部１０１の先端に、複数の鉄製の鉤を放射状（傘形）に張り出させた角針部１０２を１段又は上下２段に取り付けたものである。例えば、同図１３（Ａ）〜（Ｅ）に示すように疑似餌部１０１に彩色が施されたプラスチック角棒型（Ａ）及び（Ｂ）、浮スッテ型（Ｃ）、魚スッテ型（Ｄ）、エサ巻スッテ型（切り身をスッテに巻き付けて使用）（Ｅ）、鉛入りスッテ型（Ｆ）など種々のイカ角１００が用いられている。いずれのイカ角１００も疑似餌部１０１の形や大きさが異なり、釣るイカの種類によって適宜使い分け、又は複数種類のイカ角１００を組み合わせて使用している。
【０００３】
ところで、イカを釣る場合には上記イカ角１００を用いた仕掛けを海中に投入して行うが、携行時やイカ釣り時に、不用意にイカ角１００の角針部１０２に接触して傷を負う恐れがあり、これを防止すると共にスムーズな海中投入を可能とするイカ角保持具やイカ角投入器が多数提案されている。
【０００４】
例えば、複数の筒部材を並列に配置すると共に、この筒部材内にマグネットを設け、同筒部材内にイカ角の鉄製の角針部を差し込んで該マグネットに磁着することにより、イカ角の保持及びスムーズな海中投入を行わせるようにしたものが、実開昭６３−１４３１６８号公報（特許文献１）、実開平７−２２６７１号公報（特許文献２）、特開２００３−２３９４０号公報（特許文献３）、特開２００５−１４３４８６号公報（特許文献４）などにおいて提案されている。これ等特許文献１乃至特許文献４にあっては、筒部材が並列に配置されているため、イカ角保持具自体が幅広に構成され、携行に不便である問題を有していた。
【０００５】
この問題を解決するものとして、例えば円柱状のイカ角保持部と船縁に取り付けられる支柱とからなり、イカ角保持部の基端部を支柱に対して屈折可能に軸支し、円柱状のイカ角保持部にその先端から軸線方向に沿う割り溝を形成し、該割り溝によって分断された一方側に割り溝面に沿ってイカ角の角針部を保持しながらガイドするガイド突出面を形成し、該割り溝により複数のイカ角の胴部を順次保持するようにしたイカ角投入器が、特開２００７−９７４９４号公報（特許文献５）にて提案されている。
【０００６】
また、所定の間隔を有して対向させその一方の面取りをした長辺をレールとしたレール板と、レール板の先端に設けた角針部の滑り止めとするためのスプリングと、レール板の対向面に設けた角針部の滑りを止めとする抵抗用弾性材と、レール板に固定したカバーとからなるイカ角収納送り出し器が、特開平４−１６６０３２号公報（特許文献６）にて提案されている。
【先行技術文献】
【特許文献】
【０００７】
【特許文献１】実開昭６３−１４３１６８号公報
【特許文献２】実開平７−２２６７１号公報
【特許文献３】特開２００３−２３９４０号公報
【特許文献４】特開２００５−１４３４８６号公報
【特許文献５】特開２００７−９７４９４号公報
【特許文献６】特開平４−１６６０３２号公報
【発明の概要】
【発明が解決しようとする課題】
【０００８】
しかしながら、上記特許文献５においては、円柱状のイカ角保持部に形成した割り溝にイカ角の疑似餌部を順次挿入保持するようにしているため、疑似餌部の大きさが異なる複数種類のイカ角を組み合わせて使用することができないものであった。また、疑似餌部に膨らみを持つ浮スッテ型（Ｃ）、魚スッテ型（Ｄ）、エサ巻スッテ型（Ｆ）、鉛入りスッテ型（Ｅ）等のイカ角を割り溝に挿入して保持する場合には、割り溝を幅広に形成しなければならず保持安定性が悪いものであった。更に、イカ角を割り溝に挿入する際には、イカ角の角針部をガイド突出面に係合することによりこれをガイドとして挿入作業を行うが、忙しいイカ釣り作業時に引き上げた仕掛けのイカ角を手際よく狭い割り溝内に挿入するのは困難であり、使用に耐えないものであった。
【０００９】
また、特許文献６においては、対向するレール板の間隔を使用するイカ角の疑似餌部に合わせて設けるため、特許文献５同様に疑似餌部の大きさが異なる複数種類のイカ角を組み合わせて使用することができないものであった。また、対向するレール板上をイカ角の角針部を滑らせて収納するため、複数の鉄製の鉤を放射状（傘形）に張り出させた角針部のいずれかの針がレール板上で擦れてその針先が傷付き、イカ角として使用できなくなる恐れがあった。更に、一対のレール板の下端先端部を開き気味に形成することにより、イカ角を対向するレール板間に挿入し易くしているが、上記特許文献５同様手際よくレール板間に挿入するのは困難で、使用に耐えないものであった。
本発明は、上記点に鑑みなされたもので、イカ角の投入がスムーズに行え、また不使用時にも安全且つ携行にも便利なイカ角保持具及びイカ角投入器を提供するものである。
【課題を解決するための手段】
【００１０】
本発明は、内部に収納空間を形成した断面略コ字形状の支柱と、同支柱上部に回動自在に軸支され、支柱の収納空間内の第１位置と、支柱に対して略３／４回動して略水平状態に保持された第２位置との間で回動変位する保持レールとガイドレールとからなるイカ角保持部とを備えたイカ角保持具であって、
上記イカ角保持部の保持レールとガイドレールは、互いにイカ角の疑似餌部が通る所要間隔を有して設けられ、両レール共に垂直片と同垂直片下部に外側に広がる傾斜片とを備え、同両レールの垂直片上端部に互いに外側下方に向かって傾斜するテーパ面を形成すると共に、ガイドレール先端長さを上記保持レールよりも短く形成してその長さの違いにより構成される隙間部位をイカ角装着口となし、且つガイドレールの垂直片上端高さを上記保持レールよりも低くして、該保持レールの垂直片のみでイカ角の角針部の付け根部位に係合して同イカ角を吊り下げ保持するようにしたことを最も主要な特徴とする。
【００１１】
第２に、上記ガイドレールを、保持レールとガイドレールとの間隔を調整可能なように可動自在に設けたことを特徴とする。
【００１２】
第３に、上記保持レールの垂直片にマグネット板を設けたことを特徴とする。
【００１３】
第４に、上記イカ角保持具を用いたイカ角投入器であって、その一側面に略く形状切欠部を有する支柱取付部材を船縁に着脱自在に設けると共に、上記イカ角保持部が第２位置に保持された状態のイカ角保持具の支柱を上記支柱取付部材に上下動可能に設け、該支柱を上方に移動してその下端を支柱取付部の略く形状切欠部の傾斜面に係止することにより、上記イカ角保持具を船縁に対して傾斜した状態に保持するようにしたことを特徴とする。
【発明の効果】
【００１４】
本発明のイカ角保持具は、支柱を回動することにより、イカ角保持部を非使用時には同支柱内の収納空間内に収納し、使用時には支柱に対して略垂直となる水平状態に簡単にセッティングすることができ、更にコンパクトに収納でき携行に便利である。また、携行時にはイカ角保持部を支柱の収納空間内の第１位置に収納してなるので、イカ角の角針部が外部に露出せず、同角針部に接触するのを未然に防止することができる。
【００１５】
また、ガイドレールの垂直片上端高さを上記保持レールよりも低くして、該保持レールの垂直片のみでイカ角の角針部の付け根部位と係合して同イカ角を吊り下げ保持してなるので、角針部の損傷を極力防止できる。更に、保持レール及びガイドレールの垂直片上端部を互いに外側下方に向かって傾斜するテーパ面に形成してなるので、イカ角の放射状（傘形）に張り出させた角針部のいずれかの針がレール上端に接しても該テーパ面によって外れ、イカ角装着時は無論のこと、イカ角の左右移動時にも角針部の損傷を防止することができる。
【００１６】
また、ガイドレール先端長さを上記保持レールよりも短く形成してその長さの違いにより構成される間隔をイカ角装着口としたので、イカ角を係止する際にガイドレールが邪魔となることもなく、このイカ角装着口をガイドとして保持レールに簡単且つ容易に係止することができ、イカ角の装着作業をスムーズに行わせることができる。これにより、忙しいイカ釣り作業時にも引き上げた仕掛けのイカ角を手際よく保持レール上に順次係止保持させることができ、使い勝手の良いものである。
【００１７】
また、ガイドレールを移動自在に設けたものでは、使用するイカ角によって、保持レールとガイドレールとの間隔を調整することができるので、必要に応じて疑似餌部の大きさが異なる複数種類のイカ角を選択的に使用することができ、異なる種類のイカ角を組み合わせて使用することもできる。
【００１８】
また、保持レールの垂直片にマグネット板を設けたものでは、保持レールに係止保持されたイカ角が、揺れや振動によって自由に移動するのを防止し、不用意に移動落下するのを防止することができると共に、携行時に互いにぶつかり合い傷付くのを防止することができる。
【００１９】
また、船縁に着脱自在に設けた支柱取付部の略く形状の切欠部の傾斜面を利用して、上記イカ角保持具を船縁に対して傾斜した状態に保持するようにしたものでは、イカ角仕掛けの海中投入時に、同イカ角を保持レールからスムーズに投入させることができると共に、イカ角保持具を傾斜状態と起立状態との変更操作も簡単で操作性がよいものである。
【図面の簡単な説明】
【００２０】
【図１】本発明のイカ角保持具及びイカ角投入器の一実施例を示す分解斜視図である。
【図２】図１のイカ角保持具及びイカ角投入器を組み立てた状態を示し、（Ａ）はイカ角保持具及びイカ角投入器の側面図、（Ｂ）はイカ角保持具及びイカ角投入器の上面図、（Ｃ）はイカ角保持具及びイカ角投入器の正面図である。
【図３】図２のイカ角保持具及びイカ角投入器の斜視図である。
【図４】図３に示すＡ−Ａ矢示図である。
【図５】本発明のイカ角保持部にてイカ角を係止した状態を示し、（Ａ）はプラスチック角棒型イカ角を係止した状態を示す要部拡大図、（Ｂ）は魚スッテ型イカ角を係止した状態を示す要部拡大図である。
【図６】図４に示すイカ角保持部のガイドレールの可動自在状態を示す要部説明図である。
【図７】イカ角保持部を支柱の収納空間に固定するレール固定具を示す説明図である。
【図８】図７に示すレール固定具を支柱に取り付けた状態を示し、（Ａ）はイカ角保持具の正面図、（Ｂ）はイカ角保持具の側面図である。
【図９】本発明のレール固定具の他の一実施例を示すレール固定具の斜視図である。
【図１０】本発明のイカ角投入器の使用状態を示し、船内側にてイカ角保持具にイカ角をセッティングした状態を示す説明図である。
【図１１】本発明のイカ角投入器の使用状態を示し、イカ釣り作業時のイカ角投入器を示す説明図である。
【図１２】本発明のイカ角保持具のイカ角保持部を支柱内に納める状態を示す説明図である。
【図１３】イカ角を示し、（Ａ）及び（Ｂ）はプラスチック角棒型イカ角、（Ｃ）は浮スッテ型イカ角、（Ｄ）は魚スッテ型イカ角、（Ｅ）はエサ巻スッテ型（切り身をスッテに巻き付けて使用）イカ角、（Ｆ）は鉛入りスッテ型イカ角を示す図である。
【発明を実施するための形態】
【００２１】
以下図１〜図９を用いて本発明のイカ角保持具及びイカ角投入器を詳細に説明する。
図１乃至図３に示すように、イカ角保持具本体１は、支柱２と、この支柱２の上部に回動自在に軸支されたイカ角保持部３とから大略構成している。
【００２２】
上記支柱２は、同じく図１乃至図３に示すように断面略コ形状とし内部に収納空間２１を形成している。また、その左右両側面２ａ下部には後述する支柱取付部材に取り付けるための長手方向に延びる長孔２２を対向して形成する一方、同両側面２ａ上部には上記イカ角保持部３を軸支するための係止孔２３を対向して形成している。更に、両側面２ａを繋ぐ連結面２ｂ下部にＵ字状スリット２４を形成する一方、連結面２ｂ上端には切欠部２５を形成している。
【００２３】
上記イカ角保持部３は、図１乃至図３に示すように円弧形状の回動部材３２と、この回動部材３２の取付面３２ａに設けられた保持レール４及びガイドレール５とから大略構成している。
【００２４】
上記回動部材３２は、支柱２の係止孔２３に対応して形成された連通孔３２ｂに装着される回動ピン３１にて、同支柱２の収納空間２１上部に回動自在に軸支すると共に、図２及び図３に示す如く略３／４回動時に上記支柱２の切欠部２５下縁と係合して同回動を規制する回動規制部３２ｃを設け、非使用時には図８に示すようにイカ角保持具３を上記支柱２の収納空間２１内の第１位置に、使用時には図３に示す支柱２に対し略垂直となる水平状態の第２位置にそれぞれ保持するようにしている。
【００２５】
上記回動部材３２の取付面３２ａに設けられた保持レール４とガイドレール５は、図２乃至図６に示すように互いにイカ角１００の疑似餌部１０１が通ることができる程度の所要間隔Ｄ１を有して設けられており、図４に示すように両リール４・５共に垂直片４１・５１と、同垂直片４１・５１下部に互いに末広がり状に外側に曲がった傾斜片４２・５２を備えている。更に、上記両垂直片４１・５１の上端部には互いに外側下方に向かって傾斜するテーパ面４３・５３を形成すると共に、保持レール４の垂直片４１の内側面にはマグネット板６を設けている。
【００２６】
また、図２及び図３に示すようにガイドレール５先端を上記保持レール４先端に対して間隔Ｌ１短く形成してなり、その長さの違いによって形成される隙間部位をイカ角挿入口７として構成すると共に、図４に示すようにガイドレール５のレール上端高さを上記保持レール４のレール上端高さに対して所要高さＨ１低くなし、図５に示すように上記保持レール４の垂直片４１のみでイカ角１００の角針部１０２の付け根部と係合して同イカ角１００を係止するようにしている。
【００２７】
上記ガイドレール５は、図６に示すように回動部材３２の取付面３２ａに対して左右可動自在に設けられ、保持レール４との隙間Ｄ１を調整可能としている。例えば、同図６に示す如くガイドレール５の取付部５４の上下に形成したビス止め用の取付孔５５・５６の内少なくとも垂直片５１側の取付孔５６を長孔とし、他方の取付孔５５を中心に僅かに可動自在となし、図５（Ａ）及び（Ｂ）に示すように使用するイカ角１００の疑似餌部１０１の大きさに応じて両レール４・５との間隔Ｄ１を微調整できるようにしている。もちろん上下の取付孔５５・５６共に長孔とし、ガイドレール５全体が左右方向に可動自在としてもよい。
【００２８】
上記イカ角保持部３を支柱２の収納空間２１内の第１位置に収納時、同第１位置に同イカ角保持部３を固定するため、図７及び図８に示すようにレール固定具８を備えている。このレール固定具８は、支柱２のＵ字状スリット２４を介して両レール４・５間の隙間Ｄ１を通し装着される支持ボルト８１と、支柱２の開口部に架け渡されるカバー８２と、支持ナット８３及び締付ナット８４とから構成している。
【００２９】
船縁に装着して使用するイカ角投入器９は、図１乃至図３に示すように上記イカ角保持具本体１と、このイカ角保持具本体１を船縁に装着するための取付部材１０とから大略構成してなり、この取付部材１０は船縁取付プレート１１と支柱取付部材１２とから構成している。
【００３０】
上記船縁取付プレート１１は、図示しないクランプ装置などにより図１０に示すように船縁上に装着され、船縁取付プレート１１上にネジ孔が形成されたボス１１ａを設けている。上記支柱取付部材１２は、上記支柱２の収納空間２１下部に嵌り込み、固定ボルト１３を装着するための上記ボス１１ａと係合する径大部１２ｂを有した上下貫通孔１２ａを形成すると共に、上部に支柱２の長孔２２に対応して左右貫通する連結ボルト１４を装着するための連結孔１２ｃを形成している。また、その一側面には略く形状の切欠部１２ｄを形成している。なお、１５は例えばゴム製などの環状のスペーサである。
【００３１】
次に、上記構成において、その使用方法について以下説明する。
先ず、図８に示すイカ角保持部３が第１位置にある状態において、締付ナット８４を緩めてリール固定具８を外し支柱２を回動する。同支柱２を約３／４回動すると、図３に示すように回動部材３２の回動規制部３２ｃが支柱２の切欠部２５下縁と係合し、イカ角保持部３は支柱２に対して垂直となる水平状態の第２位置に保持される。
【００３２】
一方、船縁取付プレート１１を図示しないクランプ装置などにより船縁に固定した後、支柱取付部材１２の上下貫通孔１２ａの径大部１２ｂと船縁取付プレート１１のボス１１ａとを嵌め合わせ、同上下貫通孔１２ａ上部よりスペーサ１５を介して固定ボルト１３を挿入し該ボス１１ａにネジ込み両者を一体化することにより、取付部材１０を図１０に示すように船縁上に取付ける。
【００３３】
そして、船縁に取付けられた取付部材１０の支柱取付部材１２に、上記イカ角保持具本体１の支柱２を、略く形状の切欠部１２ｄと支柱２の連結面２ｂが対向する位置関係にして係合し、連結ボルト１４を長孔２２、連結孔１２ｃに挿入して図２及び図３に示す如く両者を上下動可能に連結する。以上のように全体を一体化しイカ角投入器９の組み立てを完了する。
【００３４】
しかる後、イカ釣り用仕掛けをセッティングするが、この際イカ角挿入口７からイカ角１００の疑似餌部１０１を保持レール４に当てがい、これをガイドとしてイカ角１００を保持レール４に引っ掛けると、図５に示す如くの角針部１０２の付け根部位が保持レール
４の垂直片４１上端と係合し係止保持されることとなる。このように、イカ角挿入口７部位がガイドとなると共に、同部位よりイカ角１００の角針部１０２を保持レール４に引っ掛けるだけで、同イカ角部１００を保持レール４のみに係止保持させることができ、その操作も簡単で作業性もよいものである。また、イカ角１００の角針部１０２の針先が保持レール４及びガイドレール５の垂直片４１・５１上端に当たっても、同上端に形成したテーパ面４３・５３によって外れ角針部１０２が損傷することもない。
【００３５】
また、この状態で保持レール４に沿って移動すると、図５に示すように両レール４・５の垂直片４１・５１との隙間Ｄ１によってガイドされると共に、両レール４・５の傾斜片４２・５２の末広がり状の傾斜面にてガイドされ、更にマグネット板６にてイカ角１００の動きを規制してなるので、不用意に移動落下することもなく安定して移動作業が行える。なお、この移動作業時にも、イカ角１００はその角針部１０２付け根部位が保持レール４の垂直片４１の上端のみに係止された状態で移動するので、針先の損傷を招く恐れもない。
上記作業を順次繰り返して図１０に示す如く複数のイカ角１００を保持レール４上に係止保持させる。
【００３６】
なお、両レール４・５の垂直片４１・５１との隙間Ｄ１は、使用するイカ角１００の疑似餌部１０１の大きさに対応して予め設定されているが、例えば種類の異なるイカ角１００を使用する場合には、図６に示すように上側の長孔状の取付孔５６のねじを緩めて、下側の取付孔５５を中心としてガイドレール５を移動することにより、図５（Ａ）（Ｂ）に示すように上記隙間Ｄ１を大なる方のイカ角１００の疑似餌部１０１の大きさに調整して使用する。これにより種類の異なる複数のイカ角１００を適宜使用することができる。使用するイカ１００が１種類であれば、隙間Ｄ１をそのイカ角１００の大きさに合わせることができ保持安定性は高まる。仮に複数種類のイカ角１００を使用する場合には、隙間Ｄ１を大なるイカ角１００に調整するため、小なるイカ角１００の保持安定性は多少劣るが、イカ角１００の角針部１０２の付け根部位が保持レール４の垂直片４１に係止していると共に、マグネット板６にイカ角１００の動きが規制されているので、船の揺れや振動などにより安易に外れることはない。
【００３７】
次に、イカ釣り時について説明する。図１１に示すように固定ボルト１３による締結力に抗してイカ角保持具本体１を回動し、イカ角保持部３を船内側若しくは船縁上から船外側に移動する。そして、支柱２を持ち上げて同図１１に示すようにその下端を支柱取付部材１２の略く形状の切欠部１２ｄの傾斜面に係止し、該イカ角保持具本体１を傾斜状態に保持する。この状態で、仕掛けの錘１０４を海中に投下するとその加重で順次イカ角１００が保持レール４から外れて海中にスムーズに投入される。これにより、イカ角１００の角針部１０２が手指に触れて負傷するのを未然に防止することができる。イカ角仕掛けが全て投入された後、再び支柱２を持ち上げてその下端を支柱取付部材１２の略く形状の切欠部１２ｄの傾斜面から外し図１０に示すようにイカ角保持具本体１を元の起立状態、即ちイカ角保持部３を水平状態とすると共に、船縁上若しくは船内側に回動し、イカ釣り作業を行う。
【００３８】
上記仕掛け投入にあたり、幹糸１０３が風や船の揺れなどによりイカ角１００と絡む可能性があるが、図１１に示すようにイカ角１００間を繋ぐ幹糸１０３の下端は船縁の内側に位置し、この船縁により投入位置と幹糸１０３とを分離させてなるので、風や船の揺れなどにより同幹糸１０３がなびくのを防止しイカ角１００と絡むことはない。
【００３９】
そして、イカが掛かりイカ角仕掛けを引き上げる場合には、イカ角１００の疑似餌部１０１を一方の手で掴み他方の手で掛かったイカを外した後、上述したように同疑似餌部１０１をイカ角挿入口７から保持レール４に当てがい、これをガイドとしてイカ角１００を
保持レール４の垂直片４１に引っ掛けて移動する。この作業を順次繰り返して図１０に示す如く全てのイカ角１００を保持レール４上に係止保持する。イカ釣り作業の忙しい場合でも容易且つスムーズに同作業を行うことができる。
以上の作業を繰り返し、イカ釣り作業を行う。
【００４０】
次にイカ釣り終了時には、上記イカ角保持具本体１の取付作業とは逆に、図１０に示す水平状態の保持レール４に全てのイカ角１００が係止保持された状態において、連結ボルト１４を長孔２２、連結孔１２ｃから外して、支柱２を支柱取付部材１２から離脱する。そして、図１２に示すように同支柱２を回動して、イカ角保持部３を第２位置から収納空間２１内の第１位置に納め、支持ナット８３を取り付けた支持ボルト８１をＵ字状スリット２４を介して両リール４・５との隙間Ｄ１を通して装着し、支柱２の開口部に架け渡してカバー８２を取り付けた後、締付ナット８４を締め付けてレール固定具８を装着し、イカ角保持部３を同第１位置に固定保持する。
【００４１】
なお、イカ角保持部３を収納した支柱２を携帯又は保管する場合には、イカ角仕掛けの釣り糸が邪魔となるが、図示しないシート上に釣り糸を置き、シートと一緒に巻き取って支柱２と一緒に携帯及び保管する。
【００４２】
以上のように、イカ角保持部３を、支柱２を回動操作することにより、非使用時には同支柱内の収納空間２１内（第１位置）に、使用時には支柱に対して垂直状の水平状態（第２位置）にそれぞれ簡単にセッティングすることができ、操作性も良く、更にコンパクトに収納し携行に便利である。また、イカ角投入時には、支柱２を持ち上げて支柱取付部１２の略く形状の切欠部１２ｄの傾斜面に係合させることにより、イカ角保持具本体１を傾斜した状態に簡単に保持することができ、イカ角を保持レールからスムーズに投入させることができる。更に、同イカ角保持具本体１の傾斜状態と起立状態との変更も支柱２の上下動作にて簡単に行え操作性もよいものである。
【００４３】
また、以上実施例においては、レール固定具８を、支持ボルト８１、カバー８２、支持ナット８３及び締付ナット８４とから構成するようにしているが、例えば図９に示すように、支柱２の下端全体を塞ぐような一側面を開口した蓋部材１３とし、同蓋部材１３内部に保持レール４先端を挟持する挟持部１４を形成したレール固定具としてもよい。この場合、蓋部材１３を支柱２の下端に装着するだけで、挟持部１４にて保持レール４先端上下を挟持し、イカ角保持部３を同第１位置に固定保持することができる。
【符号の説明】
【００４４】
１    イカ角保持具本体
２    支柱
２ａ    左右側面
２ｂ    連結面
２１    収納空間
２２    長孔
２３    係止孔
２４    Ｕ字状スリット
２５    切欠部
３    イカ角保持部
３１    回動ピン
３２    回動部材
３２ａ    取付面
３２ｂ    連通孔
３２ｃ    回動規制部
４    保持レール
４１    垂直片
４２    傾斜片
４３    テーパ面
５    ガイドレール
５１    垂直片
５２    傾斜片
５３    テーパ面
５４    取付部
５５、５６    取付孔
６    マグネット板
７    イカ角挿入口
８    レール固定具
８１    支持ボルト
８２    カバー
９    イカ角投入器
１０    取付部材
１１    船縁取付プレート
１２    支柱取付部材
１２ａ    上下貫通孔
１２ｂ    径大部
１２ｃ    連結孔
１２ｄ    略く形状の切欠部
１３    固定ボルト
１４    連結ボルト
１００    イカ角
１０１    疑似餌部
１０２    角針部
１０３    幹糸
１０４    錘
【図１】
2010263792.tif 000003
【図１０】
2010263792.tif 000004
【図１１】
2010263792.tif 000005
【図１２】
2010263792.tif 000006
【図２】
2010263792.tif 000007
【図３】
2010263792.tif 000008
【図４】
2010263792.tif 000009
【図５】
2010263792.tif 000010
【図６】
2010263792.tif 000011
【図７】
2010263792.tif 000012
【図８】
2010263792.tif 000013
【図９】
2010263792.tif 000014
【図１３】
2010263792.tif 000015